(57)【特許請求の範囲】
【請求項１】
空調機と、
この空調機の下部に１または複数のブラケットを介して取り付けられる付属装置と、
を備えている、空調機への付属装置の取付け構造であって、
前記ブラケットは、一対の水平板部と、これらの水平板部から下向きに垂下し、かつ前記付属装置が連結される一対の垂下部とを有しており、
前記空調機には、略水平方向に奥行きがあり、かつ少なくとも一側部が開口した一対の凹溝が水平方向に間隔を隔てて設けられており、
前記ブラケットは、前記一対の水平板部が前記一対の凹溝に挿入されていることにより前記空調機に掛止されており、
前記空調機には、前記ブラケットの一対の水平板部をこの空調機にネジ止めするためのネジ止め部が設けられているとともに、
前記付属装置は、前記ネジ止め部の直下領域を避けた配置とされて、前記ネジ止め部のネジ止め作業およびその解除作業を前記空調機の下方から行なうことが可能な構成とされており、
前記一対の凹溝は、前部が閉塞し、かつ後部が開口した形態を有しているとともに、前記一対の水平板部は、前記一対の凹溝に対してその後部の開口部分から挿入されており、前記空調機が所望の壁部に取付けられたときには、前記一対の水平板部が前記一対の凹溝の後方に脱出することが前記付属機器または前記ブラケットが前記壁部に当接することによって阻止可能な構成とされていることを特徴とする、空調機への付属装置の取付け構造。
【請求項２】
前記空調機の上部には、前記壁部に固定された取付板にこの空調機を掛止させるための係合部が形成されているとともに、前記空調機の下部には、前記取付板に対してこの空調機の下部を連結するための連結手段が設けられており、
前記取付板に対して前記空調機の下部が連結されているときには、前記一対の水平板部が前記一対の凹溝の後方に脱出することが前記付属機器または前記ブラケットが前記壁部に当接することによって阻止される一方、
前記連結が解除されたときには、前記空調機を前記取付板に掛止させたまま、前記空調機の下部を前記壁部から離間させて、前記一対の凹溝から前記一対の水平板部を脱出させるためのスペースを確保することが可能な構成とされている、請求項１に記載の空調機へ
の付属装置の取付け構造。
【請求項３】
前記空調機は、浴室暖房機であるとともに、前記付属装置は、供給されてきた液体をミストとして噴出するミスト発生装置である、請求項１または２に記載の空調機への付属装置の取付け構造。
【請求項４】
前記ミスト発生装置のミスト用液体を受けるための配管用接続具は、前記ブラケットに取り付けられている、請求項３に記載の空調機への付属装置の取付け構造。
【発明の詳細な説明】
【技術分野】
【０００１】
本発明は、浴室暖房機やその他の空調機にミスト発生装置などの所望の付属装置を取り付けるのに適用される空調機への付属装置の取付け構造に関する。
【背景技術】
【０００２】
ミスト発生装置を浴室内に設置する場合、このミスト発生装置を浴室暖房機の下部に取り付けることがよく行なわれている（たとえば、特許文献１を参照）。このような手段を採用すれば、浴室暖房機とミスト発生装置との集約化が図られ、全体の見栄えなどを良好にすることができる。また、ミスト発生装置によって発生されたミストを、浴室暖房機からの送風を利用して浴室内の所望領域に進行させるような作用を得ることも可能となる。
【０００３】
しかしながら、従来においては、次に述べるように、改善すべき点があった。
【０００４】
すなわち、ミスト発生装置は、浴室暖房機とは個別の理由で故障などを生じる可能性がある。このため、ミスト発生装置については、浴室暖房機から容易に取り外して、浴室暖房機とは個別にその修理や点検などを行なうことができるようにすることが望まれる。その一方、ミスト発生装置を浴室暖房機に取り付ける場合、単に、ミスト発生装置を浴室暖房機から取り外し易くするだけでは不十分であり、取り付けの信頼性を高くすることも望まれる。たとえば、ミスト発生装置に適当なブラケットを連結し、このブラケットを浴室暖房機に対してネジ止めすれば、その取り外し作業などが容易化されるものの、このような手段を採用しただけでは、前記ネジ止め部分が万一緩んだ場合にミスト発生装置の取り付け状態が解除される可能性は高い。したがって、そのような取り付け手段のみでは、ユーザに不安感を与えてしまうため、このようなことを解消することも望まれる。これに対し、従来においては、前記したような要望を十分に満足させ得る手段が提供されていないのが実情である。したがって、この点において改善すべき余地があった。なお、この点は、浴室暖房機にミスト発生装置を取り付ける場合に限らず、浴室暖房機以外の空調機にミスト発生装置とは異なる他の付属装置を取り付ける場合においても同様である。
【０００５】
【特許文献１】特開２００２−３３６１５５号公報
【発明の開示】
【発明が解決しようとする課題】
【０００６】
本発明は、前記したような事情のもとで考え出されたものであって、空調機に対する付属装置の着脱が容易であるとともに、空調機に付属装置が取り付けられた状態においてその取り付けの信頼性をも高めることが可能な空調機への付属装置の取付け構造を提供することを、その課題としている。
【課題を解決するための手段】
【０００７】
上記の課題を解決するため、本発明では、次の技術的手段を講じている。
【０００８】
本発明により提供される空調機への付属装置の取付け構造は、空調機と、この空調機の下部に１または複数のブラケットを介して取り付けられる付属装置と、を備えている、空調機への付属装置の取付け構造であって、前記ブラケットは、一対の水平板部と、これらの水平板部から下向きに垂下し、かつ前記付属装置が連結される一対の垂下部とを有しており、前記空調機には、略水平方向に奥行きがあり、かつ少なくとも一側部が開口した一対の凹溝が水平方向に間隔を隔てて設けられており、前記ブラケットは、前記一対の水平板部が前記一対の凹溝に挿入されていることにより前記空調機に掛止されており、前記空調機には、前記ブラケットの一対の水平板部をこの空調機にネジ止めするためのネジ止め部が設けられているとともに、前記付属装置は、前記ネジ止め部の直下領域を避けた配置とされて、前記ネジ止め部のネジ止め作業およびその解除作業を前記空調機の下方から行なうことが可能な構成とされており、前記一対の凹溝は、前部が閉塞し、かつ後部が開口した形態を有しているとともに、前記一対の水平板部は、前記一対の凹溝に対してその後部の開口部分から挿入されており、前記空調機が所望の壁部に取付けられたときには、前記一対の水平板部が前記一対の凹溝の後方に脱出することが前記付属機器または前記ブラケットが前記壁部に当接することによって阻止可能な構成とされていることを特徴としている。
【０００９】
このような構成によれば、付属装置がブラケットを介して空調機の下部に取り付けられることとなるが、空調機に対するブラケットの連結は、ブラケットの一対の水平板部を空調機に設けられている一対の凹溝に挿入することによって行なうことができる。また、ブラケットの水平板部を空調機の凹溝から抜き外せば、空調機から付属装置を取り外すことが可能となる。このようなことから、空調機に対する付属装置の着脱が容易となり、付属装置を空調機とは分離させて、個別に保守・点検などを行なうのに便利となる。その一方、付属装置が空調機に取り付けられている際には、ブラケットの一対の水平板部が略水平状の一対の凹溝に挿入し、このブラケットが空調機に対して安定的に掛止された状態にあるために、たとえば前記ブラケットを空調機に対して単にネジ止めする場合とは異なり、ネジの緩みによってそれらの連結状態が容易に解除されないようにすることが可能となる。したがって、付属装置の取り付けに対する信頼性を高める効果も得られる。
さらに、前記構成によれば、ブラケットの一対の水平板部を空調機にネジ止めすることによって、ブラケットの取り付けの信頼性をより高めることができることは勿論のこと、ネジ止め作業やその解除作業は、空調機の下方から行なうことが可能であるために、空調
機が設置されている現場での作業性も良好となる。
さらに、空調機が取り付けられる壁部を利用して、ブラケットの水平板部が空調機の凹溝から脱出することを阻止することができ、ブラケットが空調機から不用意に外れることをより徹底して防止することができる。
【００１４】
本発明の好ましい実施の形態においては、前記空調機の上部には、前記壁部に固定された取付板にこの空調機を掛止させるための係合部が形成されているとともに、前記空調機の下部には、前記取付板に対してこの空調機の下部を連結するための連結手段が設けられており、前記取付板に対して前記空調機の下部が連結されているときには、前記一対の水平板部が前記一対の凹溝の後方に脱出することが前記付属機器または前記ブラケットが前記壁部に当接することによって阻止される一方、前記連結が解除されたときには、前記空調機を前記取付板に掛止させたまま、前記空調機の下部を前記壁部から離間させて、前記一対の凹溝から前記一対の水平板部を脱出させるためのスペースを確保することが可能な構成とされている。
【００１５】
このような構成によれば、空調機を取付板に掛止させたまま、ブラケットの各水平板部を空調機の凹溝から脱出させる作業、および凹溝から脱出させた各水平板部を凹溝に再度挿入する作業を行なうことができ、付属装置の着脱作業がより容易化される。
【００１６】
本発明の好ましい実施の形態においては、前記空調機は、浴室暖房機であるとともに、前記付属装置は、供給されてきた液体をミストとして噴出するミスト発生装置である。もちろん、本発明でいう空調機および付属装置は、これに限定されるものではない。
【００１７】
本発明の好ましい実施の形態においては、前記ミスト発生装置のミスト用液体を受けるための配管用接続具は、前記ブラケットに取り付けられている。
【００１８】
このような構成によれば、ミスト用液体を受ける配管用接続具の配置が定位置に維持されることに加え、その位置は、浴室暖房機とミスト発生装置との取り付け箇所の境界部分またはその近傍部分となるために、この部分に対する配管の着脱作業も容易化される。
【００１９】
本発明のその他の特徴および利点は、添付図面を参照して以下に行なう発明の実施の形態の説明から、より明らかになるであろう。
【発明を実施するための最良の形態】
【００２０】
以下、本発明の好ましい実施の形態を、図面を参照して具体的に説明する。
【００２１】
図１〜図１４は、本発明に係る空調機への付属装置の取り付け構造の一例、およびこれに関連する構成を示している。図１によく表われているように、本実施形態においては、浴室暖房機Ａの下部に、ミスト発生装置ＭＧがブラケット２Ａ，２Ｂを介して連結されている。
【００２２】
浴室暖房機Ａは、図２によく表われているように、浴室の側壁９０に取り付けて使用される壁掛け型であり、ケース５０内に、熱交換器５１および吸排気用のファン５２が収容された構成を有している。ケース５０の上壁部５０ｃは複数の吸気口５０ｄを有する吸気グリルであり、ファン５２が駆動すると、浴室の空気は吸気口５０ｄからケース５０内に流入して熱交換器５１によって加熱され、その後ケース５０の前面下部に設けられたルーバ５３の送風口５３ａから浴室に向けて送風されるようになっている。熱交換器５１は、たとえばファン５２の周囲を囲む複数のブロック５１ａ〜５１ｃに区分されているが、これらはともにフィン付きチューブを用いて構成されており、このチューブ内に温水が供給されることによって空気加熱が可能である。
【００２３】
ケース５０は、浴室の側壁９０に対して取付板８を利用して取り付けられる。より具体的には、図３に示すように、取付板８は、上部に一対の係合用突起８０を有し、かつ下部に受板部８１を有する金属板であり、ネジ体９４を用いて側壁９０に固定される。ケース５０の背面部には、取付板８の係合用突起８０に係合可能な下部開口状の凹部５０ａ’を有する係合部５０ａが形成されており、これらの係合によってケース５０は取付板８に掛止される。ケース５０の背面部の下部には、取付板８の受板部８１に当接されるブラケット片部５０ｂが形成されており、これらの部分は、孔部８１ａ，５０ｂ’およびネジ体９５（図２を参照）を利用して互いに連結される。
【００２４】
ミスト発生装置ＭＧは、図４および図５によく表われているように、カバーケース１にミスト噴出機構Ｂや２つのモータＭが組み付けられてユニット化されたものである。また、カバーケース１には、一対のブラケット２Ａ，２Ｂも取り付けられている。
【００２５】
カバーケース１は、たとえばＡＢＳ樹脂などの合成樹脂製であり、一定方向に延びた形態を有している。このカバーケース１の背面部（図４および図５の手前側）は開口しており、この開口部分からカバーケース１内にミスト噴出機構ＢやモータＭが収容されている。
【００２６】
ブラケット２Ａ，２Ｂは、たとえばステンレス製などの金具である。これらのブラケット２Ａ，２Ｂは、ともに略水平に設定される水平板部２０と、この水平板部２０からその下方に延びた垂下部２１とを有している。
【００２７】
ミスト噴出機構Ｂは、接続具３０の受給口３０ａに供給されてきた湯水（温水または非加熱の水）を複数のミストノズル３１に導き、カバーケース１の前方に向けてミストを噴出する機能を備えている。このミスト噴出機構Ｂは、接続具３０に配管部３２を介して連結された回転自在継手３３、開閉バルブＶａ、およびこれら開閉バルブＶａや回転自在継手３３に対して複数のミストノズル３１を接続する複数の配管部３４を具備している。このミスト噴出機構Ｂは、複数の配管部３４に設けられているブラケット部３５がネジ体９１を利用してカバーケース１の複数箇所にネジ止めされていることにより、カバーケース１に固定されて搭載されている。図面には示されていないが、好ましくは、回転自在継手３３や開閉バルブＶａについても、カバーケース１に対してネジ止めされている。接続具３０は、ネジ体９２を利用してブラケット２Ａの水平板部２０に固定されている。接続具３０に接続された配管部３２には、回転自在継手３３が連結されているために、ミスト噴出機構Ｂのうち、接続具３０や配管部３２以外の部分については、回転自在継手３３の回転中心となる中心軸Ｃ１周りにカバーケース１と一緒に回転させることが可能である。
【００２８】
複数のミストノズル３１は、カバーケース１の長手方向に適当な間隔を隔てて並んでおり、図６に示すように、カバーケース１の前部１０ａに設けられている複数のノズル用開口部１１からその前方に向けてミスト噴出が可能に設けられている。ミストノズル３１としては、たとえば２種類のものが用いられている。より具体的には、カバーケース１の幅方向両端部寄りのミストノズル３１ａは、幅方向中央部寄りのミストノズル３１ｂよりもミスト噴出量が多いものとされている。噴出されるミストの粒径は、ミストノズル３１ｂの方がミストノズル３１ａよりも微小である。
【００２９】
ミスト噴出機構Ｂは、図７に模式的に示すような配管構造とされており、開閉バルブＶａが開状態の際には、受給口３０ａに供給された湯水がミストノズル３１ａ、３１ｂの全てに導かれて噴出される。これに対し、開閉バルブＶａが閉状態の際には、ミストノズル３１ａへの給水が阻止されて、ミストノズル３１ｂのみからミスト噴出が行なわれるようになっている。
【００３０】
図８（ａ），（ｂ）に示すように、ミストノズル３１は、配管部３４に連結されており、この配管部３４から内部に進行してきた湯水を先端のノズル口３１０からミストとして噴出可能である。ミストノズル３１内に流入した湯水をミスト化する原理は、従来のミストノズルと同様であり、たとえばミストノズル３１内において湯水の高速旋回流を生じさせて、これを内径の小さい流路に導いて絞りつつ、その開口部から噴出させる方式である。ミストノズル３１は、配管部３４の起立部３４ａに対して、この起立部３４ａの中心軸Ｃ２を中心として回転可能に設けられている。このことにより、ノズル口３１０の向きを左右方向（カバーケース１の長手方向）に変更させることが可能である。
【００３１】
ノズル口３１０の向きを安定させるための手段として、カバーケース１には、複数の凹部を有する被係合部１２が一体または別体に設けられ、かつミストノズル３１には、凸部３５ａを有する係合部材３５が取り付けられている。ミストノズル３１を回転させた際に、係合部材３５の凸部３５ａを被係合部１２のいずれかの凹部に係入させることによって、ミストノズル３１が不用意に回転しないように位置決め可能である。図６に示すように、ノズル用開口部１１は、カバーケース１の長手方向に延びた長孔状とされ、ミストノズル３１の向きが左右いずれに変更されてもカバーケース１の前方にミストを適切に噴出し得るようになっている。なお、ミストノズル３１の向きを変更するには、カバーケース１の前面側から作業者またはユーザなどが、指あるいは適当な部材を用いて、ミストノズル３１の先端部を押圧し、回転させればよい。
【００３２】
図４および図５に示すように、２つのモータＭは、カバーケース１の長手方向両端部内に収容され、かつネジ体９３を用いてカバーケース１に固定されており、それらの駆動軸７０の中心は、中心軸Ｃ１と一致している。また、２つのモータＭは、ともに駆動軸７０がブラケット２Ａ，２Ｂに連結された構成とされている。この連結により、２つのモータＭがブラケット２Ａ，２Ｂに支持されて、カバーケース１やミスト噴出機構Ｂについても、ブラケット２Ａ，２Ｂに間接的に支持された状態となっている。前記した連結は、後述するように、ブラケット２Ａ，２Ｂと駆動軸７０との相対回転が阻止されるようになされている。このことにより、モータＭの駆動時にはモータＭの本体部７１がカバーケース１と共に回転するようになっている。
【００３３】
モータＭの駆動軸７０とブラケット２Ａとの具体的な連結手段としては、たとえば図９（ａ），（ｂ）に示すような手段が用いられている。すなわち、駆動軸７０には、連結用のキャップ７３が相対回転不能に装着されており、このキャップ７３が、ブラケット２Ａの垂下部２１の孔部２２に挿通することにより、駆動軸７０とブラケット２Ａとの連結が図られている。ただし、キャップ７３は、その先端部に形成されたフランジ７３ａ、このフランジ７３ａに隣接する幅狭部としての切欠部７３ｂ、およびこれに隣接する非切欠部７３ｃを有している。これに対し、孔部２２の上部２２ａと下部２２ｂとは、その形状およびサイズが相違しており、たとえば上部２２ａは円形状であるのに対し、下部２２ｂはそれよりも幅狭な矩形状である。駆動軸７０をブラケット２Ａに連結する作業手順としては、まず同図（ａ）の矢印Ｎ１に示すように、駆動軸７０に装着されたキャップ７３のフランジ７３ａを、孔部２２の上部２２ａに挿通させる。次いで、矢印Ｎ２に示すように、キャップ７３を下降させて切欠部７３ｂを下部２２ｂに進入させる。このような作業を行なうと、切欠部７３ｂと下部２２ｂとの嵌合作用により、キャップ７３および駆動軸７０がブラケット２Ａに対して相対回転不能な状態に連結され、かつモータＭがブラケット２Ａに支持される。キャップ７３のフランジ７３ａおよび非切欠部７３ｃは、垂下部２１をその厚み方向において挟むために、キャップ７３が垂下部２１の厚み方向に位置ずれすることも適切に規制される。詳細な説明は省略するが、他方のブラケット２Ｂに対するモータＭの駆動軸７０の連結構造も、前記したのと同様である。
【００３４】
ミスト発生装置ＭＧは、図１０および図１１に示すような構造で浴室暖房機Ａに取り付けられている。より詳細には、図１２によく表われているように、ケース５０の一対の側壁部５０ｃの下部には、凹溝５４ａを有する支持部５４が設けられている。凹溝５４は、略水平方向に奥行きがあり、後部（図１２の手前側）および内側部がそれぞれ開口し、かつ前部および外側部が閉塞した形態である。支持部５４には、ネジ止め用の孔部５４ｂも設けられている。この部分は、本発明でいうネジ止め部の一例に相当する（なお、図１１および図１２においては、図１０よりも支持部５４が後方に位置するように示されているが、これは図１１および図１２において、左側の支持部５４を見易くするためである）。
【００３５】
ブラケット２Ａ，２Ｂの各水平板部２０は、各凹溝５４ａに対してその後部の開口部分から挿入される。このことにより、図１０および図１１に示したように、支持部５４にブラケット２Ａ，２Ｂが掛止され、ミスト発生装置ＭＧは、ブラケット２Ａ，２Ｂを介して浴室暖房機Ａの下部に取り付けられている。この取り付け状態においては、ミスト発生装置ＭＧのカバーケース１の後部が浴室の側壁９０に比較的接近した配置となっている（このことの意義は、後述する）。ブラケット２Ａ，２Ｂの水平板部２０は、ネジ体９６を用いて支持部５４に固定されている。水平板部２０は、ミスト発生装置ＭＧのカバーケース１よりも幅方向外方にはみ出している。このことにより、図１１に示すように、ミスト発生装置ＭＧのカバーケース１は、支持部５４の直下領域を避けた配置となっており、支持部５４の直下領域には、ネジ体９６の締め付けなどを行なうための空間スペースＳが確保されている。ミスト発生装置ＭＧの受給口３０ａに対しては、ケース５０の背後において適当な配管５９が接続され、湯水供給が可能となっている。
【００３６】
次に、前記したミスト発生装置ＭＧおよび浴室暖房機Ａの作用について説明する。
【００３７】
まず、前記したミスト発生装置ＭＧの取り付け状態において、ブラケット２Ａ，２Ｂは、水平板部２０が略水平状の凹溝５４ａに挿入されていることによって浴室暖房機Ａの支持部５４に掛止されている。このため、本実施形態とは異なり、たとえば適当なネジ体のみを用いてブラケット２Ａ，２Ｂを浴室暖房機Ａに取り付ける場合と比較すると、ブラケット２Ａ，２Ｂの取り付けが確実化される。すなわち、万一、ネジ体９６の締め付けが緩み、このネジ体９６が脱落したとしても、ブラケット２Ａ，２Ｂがケース５０に掛止された状態は維持されるために、ミスト発生装置ＭＧの落下は適切に防止される。また、ネジ体９６が脱落した場合において、仮に、ブラケット２Ａ，２Ｂが後方に大きく位置ずれした場合には、支持部５４からブラケット２Ａ，２Ｂが離脱する可能性がある。ところが、本実施形態においては、ブラケット２Ａ，２Ｂが後方に大きく位置ずれしようとすると、カバーケース１の後部が壁部９０に当接する。この当接の作用により、ブラケット２Ａ，２Ｂが後方に大きく位置ずれしないこととなり、水平板部２０が凹溝５４ａから抜け外れることも好適に阻止される。このようなことから、ミスト発生装置ＭＧの脱落を徹底して防止する効果が得られ、ユーザに対して大きな安心感を与えることができる。
【００３８】
次いで、ミスト発生装置ＭＧを浴室暖房機Ａとは別個に保守・点検する場合には、次のようにして対処することができる。すなわち、浴室暖房機Ａの下部と取付板８の受板部８０とを連結するネジ体９５を緩めて、これらの部分の連結を解除すると、図１３に示すように、浴室暖房機Ａの下部を浴室の側壁９０から離反させることが可能である。なお、ネジ体９５を緩める作業は、たとえば図１４に示すように、ミスト発生装置ＭＧを回転させて、このミスト発生装置ＭＧの上方にその前方側からドライバを差し込み可能とする空間スペースを確保した状態で行なうことが可能である。図１３に示すように、浴室暖房機Ａの下部を側壁９０から離反させると、ミスト発生装置ＭＧを側壁９０寄りに大きく後退させることが可能となる。このため、ブラケット２Ａ，２Ｂの水平板部２０を凹溝５４ａから抜き外すことが可能となり、ミスト発生装置ＭＧを浴室暖房機Ａから取り外すことができる。このような作業を行なう際、浴室暖房機Ａについては、取付板８の係合用突起８０に掛止させておくことができるために、作業者の負担は少ない。また、事前に、ブラケット２Ａ，２Ｂを支持部５４ａに固定していたネジ体９６を緩めておく必要もあるが、この作業は、浴室暖房機Ａの下方の空間スペースＳ（図１１を参照）を利用して行なうことができるために、やはり容易である。
【００３９】
その後、ミスト発生装置ＭＧを浴室暖房機Ａに再度取り付ける場合には、浴室暖房機Ａを図１３に示したように傾斜させて、ブラケット２Ａ，２Ｂの水平板部２０を凹溝５４ａに対してその後部の開口部から挿入し、ネジ体９５，９６の締め付け作業を行なえばよい。これらの作業は、ミスト発生装置ＭＧを取り外した場合と同様に、やはり容易に行なうことが可能である。また、ミスト発生装置ＭＧの着脱に際しては、接続具３０に対する湯水供給配管の着脱を行なう必要もある。これに対し、接続具３０は、ブラケット２Ａに取り付けられて定位置に維持されており、またその位置は、浴室暖房機Ａとミスト発生装置ＭＧとの取り付け箇所の境界部分またはその近傍部分であって、浴室暖房機Ａやミスト発生装置ＭＧの幅方向端部にも近いために、この部分に対する湯水供給配管の着脱作業も容易となる。このように、本実施形態においては、ミスト発生装置ＭＧの着脱を容易に行なうことができ、浴室暖房機Ａとは別個に保守・点検などを行なうのに好ましいものとなる。
【００４０】
ミスト発生装置ＭＧは、カバーケース１にミスト噴出機構ＢやモータＭが搭載された構成を有しており、これらがユニット化されているために、その取り扱いは一層容易となる。
２つのモータＭを駆動させると、カバーケース１は図４に示した中心軸Ｃ１を中心として回転するが、このことによりミストノズル３１もカバーケース１に伴って回転することとなり、ミストノズル３１からのミストの噴出方向を上下に変化させることができる。モータＭを一定角度で正転および逆転させてカバーケース１をスイングさせる制御も可能である。加えて、図６および図８を参照して説明したように、ミストノズル３１の向きは、左右水平方向にも変化させることができる。このため、ユーザが要望する場所にミストをより適切に噴出することが可能となる。さらに、図７を参照して説明したとおり、ミストノズル３１ａ，３１ｂの全てからミストを噴出させる状態と、ミストノズル３１ｂのみからミストを噴出させる状態とを切り換えて、ユーザが要望するミスト噴出量を得ることもできる。
【００４１】
ミストの噴出方向を上下に変化させる場合、ミストノズル３１とカバーケース１との相対動はないために、ノズル用開口部１１としては、上下に延びた長孔に形成する必要はない。本実施形態においては、ノズル用開口部１１を横長状に形成しているが、このノズル用開口部１１を上下方向にも長く形成する必要がない分だけ、このノズル用開口部１１のサイズを比較的小さくし、体裁が良く、また外部の水がノズル用開口部１１に進入するような虞も生じ難いものにすることができる。さらに、カバーケース１を回転させる手段として、２つのモータＭが用いられていれば、各モータＭとしては比較的出力の小さい、小サイズのものを用いることができる。したがって、カバーケース１のうち、モータＭが収容されている部分を大きなサイズに形成する必要がなくなり、カバーケース１をその全長域にわたって細幅な形態とし、体裁が良く、かつ大きな取り付けスペースを占有しないものにすることができる。
【００４２】
本発明は、上述した実施形態の内容に限定されない。本発明に係る空調機への付属装置の取り付け構造の各部の具体的な構成は、種々に設計変更自在である。
【００４３】
既述したとおり、空調機は浴室暖房機に限らず、また付属装置はミスト発生装置に限定されない。空調機としては、たとえば一般室内用の空調機を用いることができる。また、空調機は、壁掛け型に限らず、天井設置型とすることもできる。付属装置としては、空調に関連する装置であるか否かには関係なく、種々の装置を適用対象とすることができる。
【００４４】
本発明においては、ブラケットを１つとし、その両端部に一対の水平板部や垂下部が設けられた構成（たとえば、上述の実施形態の２つのブラケット２Ａ，２Ｂを適当な部材で接続し、一体化した構成）とすることもできる。ブラケットの水平板部および垂下部は、平板状でなくてもよい。一方、水平板部が挿入される空調機の凹溝についても、その具体的な形状や形成手段などは限定されない。
【図面の簡単な説明】
【００４５】
【図１】本発明が適用された浴室暖房機およびミスト発生装置の一例を示す斜視図である。
【図２】図１に示す浴室暖房機およびミスト発生装置を模式的に示す要部断面図である。
【図３】図１に示す浴室暖房機を浴室の側壁に取り付ける状態を示す斜視図である。
【図４】図１に示すミスト発生装置の一例を示す背面側の斜視図である。
【図５】図４に示すミスト発生装置の分解斜視図である。
【図６】図４に示すミスト発生装置の正面側の斜視図である。
【図７】図４に示すミスト発生装置を構成するミスト噴出機構の配管構造を模式的に示す説明図である。
【図８】（ａ）は、図４に示すミスト発生装置のミストノズルの装着箇所の構造を示す要部正面断面図であり、（ｂ）は、（ａ）のＶIII−ＶIII断面図である。
【図９】（ａ）は、図４に示すミスト発生装置においてブラケットにモータを取り付ける構造の一例を示す分解斜視図であり、（ｂ）は、その組み立て状態を示す斜視図である。
【図１０】図１および図２に示す浴室暖房機およびミスト発生装置の他の部分を示す要部断面図である。
【図１１】図１および図２に示す浴室暖房機およびミスト発生装置の背面側の斜視図である。
【図１２】図１１の分解斜視図である。
【図１３】ミスト発生装置を取り外す際の状態を示す要部断面図である。
【図１４】浴室暖房機の下部の締結状態を解除するための作業スペースが確保される状態を示す要部断面図である。
【符号の説明】
【００４６】
Ａ      浴室暖房機（空調機）
ＭＧ    ミスト発生装置（付属装置）
２Ａ，２Ｂ    ブラケット
８      取付板
２０    水平板部
２１    垂下部
３１    ミストノズル
５４    支持部（ネジ止め部）
５４ａ  凹溝（空調機の）
９０    壁部
【図１】
0005126488.tif 000002
【図２】
0005126488.tif 000003
【図３】
0005126488.tif 000004
【図４】
0005126488.tif 000005
【図５】
0005126488.tif 000006
【図６】
0005126488.tif 000007
【図７】
0005126488.tif 000008
【図８】
0005126488.tif 000009
【図９】
0005126488.tif 000010
【図１０】
0005126488.tif 000011
【図１１】
0005126488.tif 000012
【図１２】
0005126488.tif 000013
【図１３】
0005126488.tif 000014
【図１４】
0005126488.tif 000015